(57)【要約】  本発明は、電気車両などの移動装置に配電するのに適した配電設備（１００）に関し、当該設備は、中枢部（１０２）、下部（１０４）および上部（１０６）を有し、前記下部（１０４）および前記上部（１０６）はそれぞれ、前記中枢部（１０２）から取り外すことができるように取り付けられ、前記配電設備は、既存の街灯柱（１３５）に設置されるよう構成されている。
2016500245.tif 000002
【特許請求の範囲】
【請求項１】
電気車両などの移動装置に配電する配電設備（１００）であって、前記配電設備（１００）は、既存の街灯柱（１３５）に装着されるよう構成され、前記設備は、中枢部（１０２）および一ないし複数の補助部（１０４，１０６，２１２，２１４）を有し、当該補助部は、前記中枢部（１０２）から取り外し可能に、取り付けられ、前記中枢部（１０２）は街灯柱（１３５）に取り付けられ、前記中枢部（１０２）のみが既存の街灯柱（１３５）に装着されるよう構成されており、前記配電設備は、インターフェースセクション（１１０，１２２）を有し、前記中枢部（１０２）は、
スイッチング手段（１１４，５００）と、
ケーブル接続部（１２０）と、
制御装置（１１２）と
を有し、
前記スイッチング手段（１１４、５００）は、前記接続部（１２０）に接続されており、電力供給ネットワークと接続した引き込みケーブル（１１６）に接続されるよう構成され、引き出しケーブル（１１８）に接続されるよう構成され、
前記ケーブル接続部（１２０）は、移動装置に配電するよう構成されたコンタクトモジュール（１３０）に接続されるよう構成され、
前記インターフェースセクション（１１０，１２２）は、前記ケーブル接続部（１２０）への配電の開始および／または終了に関するユーザーからのコマンドを受信するよう構成され、前記コマンドに対応するデータを前記制御装置（１１２）に転送するようセットアップされ、
前記制御装置（１１２）は、前記インターフェースセクション（１１０，１２２）からデータを受信するようセットアップされ、
前記スイッチング手段（１１４）は、前記引き込みケーブル（１１６）から前記引き出しケーブル（１１８）および前記ケーブル接続部（１２０）のそれぞれへの配電を、前記制御装置（１１２）からの制御信号に基づいて制御するようセットアップされており、前記制御装置（１１２）は、前記引き込みケーブル（１１６）から前記引き出しケーブル（１１８）および前記ケーブル接続部（１２０）のそれぞれへの配電を、外部制御信号に基づいて制御するようセットアップされており、前記外部制御信号は、あらかじめ記憶されているデータ、および、前記インターフェースセクション（１１０，１２２）、外部サーバーおよび／または前記移動装置からの入力データなどの入力データ、に基づいて決定される
ことを特徴とする配電設備（１００）。
【請求項２】
前記スイッチング手段（１１４，５００）は、少なくとも一つの電力センサー（５１２，５１４，５１６）を有し、当該手段は、前記制御装置（１１２）に電力データを送るようセットアップされていることを特徴とする、請求項１に記載の配電設備（１００）。
【請求項３】
前記中枢部（１０２）は、支払セクション（１０８）をさらに含み、当該支払セクション（１０８）は、顧客からの支払いを取得する手段を含み、前記支払セクションは、前記制御装置（１１２）に、支払いに関連するデータを送るようセットアップされていることを特徴とする請求項１〜２のいずれかに記載の配電設備（１００）。
【請求項４】
前記設備は、さらに、下部補助部（１０４）を有し、当該下部（１０４）は、移動装置に配電するよう構成されたコンタクトモジュール（１３０）を含み、当該コンタクトモジュール（１３０）は、ケーブル接続部（１２０）に接続されていることを特徴とする請求項１〜３のいずれかに記載の配電設備（１００）。
【請求項５】
前記下部（１０４）は、前記コンタクトモジュール（１３０）を覆う閉鎖可能な蓋（１２８）を含み、当該蓋（１２８）は、前記コンタクトモジュール（１３０）を通じての配電が開始される前に自動的に開き、前記蓋（１２８）は、配電が終了したときに閉じることを特徴とする請求項４に記載の配電設備（１００）。
【請求項６】
前記配電は、前記コンタクトモジュール（１３１）内の接続部（１３１）に、さらには、ケーブル（１３３）を経由して、移動装置に接続されるよう構成されたプラグ／ソケット（１３２）に対してなされ、前記移動装置および前記制御装置（１１２）の間のデータの転送を可能にする接続があることを特徴とする請求項４または請求項５に記載の配電設備（１００）。
【請求項７】
前記プラグ／ソケット（１３２）は、該プラグ／ソケット（１３２）を移動装置の対応する受けプラグ／ソケットに固定するよう構成された固定装置（１３４）を備え、当該固定装置（１３４）は、前記プラグ／ソケット（１３２）に配電されるときに当該プラグ／ソケット（１３２）が固定されるように、前記制御装置（１１２）により制御されることを特徴とする請求項６に記載の配電設備（１００）。
【請求項８】
前記設備は、前記制御装置（１１２）およびクラウドサーバーの間で、任意選択的にマスター設備（３１８，４００）を介して、インストラクションを含むデータを無線伝送するよう構成された通信ユニット（１２４）を有する上部（１０６）を有し、前記インストラクションは前記引き込みケーブル（１１６）から前記引き出しケーブル（１１８）および前記ケーブル接続部（１２０）の間の電力の分配に関するものであることを特徴とする請求項１〜７のいずれかに記載の配電設備（１００）。
【請求項９】
前記通信ユニット（１２４）は、前記制御装置（１１２）およびＬＥＤ装置の間で、インストラクションを含むデータを無線伝送するよう構成され、前記データは、電力消費および前記ＬＥＤ装置の状態に関連することを特徴とする請求項８に記載の配電設備（１００）。
【請求項１０】
前記制御装置（１１２）は、前記通信ユニット（１２４）からインストラクションを受け、前記引き込みケーブル（１１６）からの電力が前記引き出しケーブル（１１８）および前記ケーブル接続部（１２０）の間で分配されるように、前記インストラクションに基づいて、前記スイッチング手段（１１４）を制御するよう構成されていることを特徴とする請求項８または請求項９に記載の配電設備（１００）。
【請求項１１】
前記通信ユニット（１２４）は、前記配電設備（１００）から１０ｍ以内のエリアに、モバイルフォンサービスおよび／またはＷｉ−Ｆｉホットスポットを提供する小型フェムトセル基地局をさらに有することを特徴とする請求項８〜１０のいずれかに記載の配電設備（１００）。
【請求項１２】
前記通信ユニット（１２４）は、前記マスター設備（３１８，４００）を介してモバイルフォンサービスおよびＷｉ−Ｆｉからすべての入力データおよび出力データを転送するようセットアップされていることを特徴とする請求項１１に記載の配電設備（１００）。
【請求項１３】
前記通信手段（１２４）に隣接して配置、および／または、街灯柱（１３５）の内部または外部に取り付け、がなされるよう構成されている別体のアンテナ（１２７ａ，１２７ｂ）に、前記通信ユニット（１２４）が接続されていることを特徴とする請求項８〜１２のいずれかに記載の配電設備。
【請求項１４】
前記上部（１０６）は、ＲＦＩＤ読取手段および／またはブルートゥース通信手段などの同定手段を有するインターフェースセクション（１１０，１２２）を有することを特徴とする請求項８〜１３のいずれかに記載の配電設備（１００）。
【請求項１５】
前記上部（１０６）は、視覚信号を表示する手段（１２６）を有することを特徴とする請求項８〜１４のいずれかに記載の配電設備（１００）。
【請求項１６】
前記視覚信号を表示する手段（１２６）は、テキストによるメッセージおよび／または光による表示をディスプレイするようセットアップされていることを特徴とする請求項１５に記載の配電設備（１００）。
【請求項１７】
前記設備は第１モード、第２モード、第３モードで動作させることができ、
ｉ）前記設備（１００）は、前記第１モードにおいては、外部作動手段をもたず、前記コンタクトモジュール（１３０）は隠され、前記蓋（１２８）は閉じられ、前記ケーブル接続部（１２０）および前記コンタクトモジュールに電力は分配されない、
ｉｉ）前記設備（１００）は、前記第２モードにおいては、外部作動手段をもたず、前記蓋（１２８）は開かれ、前記コンタクトモジュールは外部から利用可能であり、前記ケーブル接続部（１２０）および前記コンタクトモジュール（１３０）に電力が分配され、
ｉｉｉ）前記設備（１００）は、前記第３モードにおいては、前記スイッチング手段から電力を分配せず、サービスおよび／またはメンテナンス業務を実行する作動手段（６１０）が露出している
ことを特徴とする請求項１〜１６のいずれかに記載の配電設備（１００）。
【請求項１８】
前記動作モードは、ＲＦＩＤタグおよび／またはブルートゥース通信手段を前記インターフェースセクション（１１０，１２２）に提示することによって、または、特定のモバイルフォンから特定の番号へ、発呼することによって、または、ＳＭＳを送ることによって、あるいは、それらのアクションを組み合わせることによって、切り替えられることを特徴とする請求項１７に記載の配電設備（１００）。
【請求項１９】
サービスおよび／またはメンテナンス業務を実行する前記作動手段（６１０）は、孔（６０８）を有するスライド式アウターカバー（６０６）の背後に隠され、前記スライド式アウターカバー（６０６）が前記第１モードおよび前記第２モードにおいて前記作動手段（６１０）を覆う位置にロックされ、前記作動手段（６１０）が前記孔（６０８）を通じてアクセス可能となる位置に前記スライド式アウターカバー（６０６）をスライド移動させることができるように、前記スライド式アウターカバー（６０６）が、前記スライド式アウターカバー（６０６）の位置を制御する手段（６０４）によって、制御されることを特徴とする請求項１８に記載の配電設備（１００）。
【発明の詳細な説明】
【技術分野】
【０００１】
本発明は、配電の分野に関する。より具体的に、本発明は、道路や街路沿いの既存の街灯柱に設置されるよう構成され、電気車両などの移動可能な装置に電力を分配する用途が予定された配電設備に関する。また、本発明は、複数の配電設備とマスター（主幹）設備とを有し、該マスター設備が配電設備を制御するよう構成された配電システムに関する。最後に、本発明は、前記システムを制御する方法を提供する。
【背景技術】
【０００２】
電気車両を充電する手段となるインフラに対する需要が増大している。しかし、そのような手段のほとんどは、配電線への新規接続を必要とする新しい充電ステーションを設置することを意図するものである。そのような手段の例は、ドイツ特許出願公開第１０２００７０３８２４５号明細書、米国特許第５５６３４９１号明細書、および米国特許第７９８４８５２号明細書に見出すことができる。国際公開第２０１１／０４２３２２号パンフレットおよび米国特許出願公開第２０１１／０２１３６５６号がともに、新規の、そのような充電ステーションであって、駐車場スペースの管理と組み合わせたものに関連している。そのようなシステムは、大規模な建築工事が必要となることに加え、ほとんどの国で建築工事に許可が必要なため、費用がかさみ、煩雑である。したがって、電気車両のインフラに関連して、安価で簡単でフレキシブルな手段が必要とされている。
【発明の概要】
【０００３】
本発明は、添付の特許請求の範囲に記載されているような、配電設備および関連するシステムおよび方法を提供することによって、前記した課題を解決する。  
【０００４】
したがって、本発明は、電気車両などの移動装置に配電する配電設備であって、前記配電設備は、既存の街灯柱に装着されるよう構成され、前記設備は、中枢部および一ないし複数の補助部を有し、当該補助部は、前記中枢部から取り外し可能に、取り付けられ、前記中枢部は街灯柱に取り付けられ、前記中枢部のみが既存の街灯柱に装着されるよう構成されており、前記配電設備は、インターフェースセクションを有し、前記中枢部は、
スイッチング手段と、
ケーブル接続部と、
制御装置と
を有し、
前記スイッチング手段は、前記ケーブル接続部に接続されており、電力供給ネットワークと接続した引き込みケーブルに接続されるよう構成され、引き出しケーブルに接続されるよう構成され、
前記ケーブル接続部は、移動装置に配電するよう構成されたコンタクトモジュールに接続されるよう構成され、
前記インターフェースセクションは、前記ケーブル接続部への配電の開始および／または終了に関するユーザーからのコマンドを受信するよう構成され、前記コマンドに対応するデータを前記制御装置に転送するようセットアップされ、
前記スイッチング手段は、前記引き込みケーブルから前記引き出しケーブルおよび前記ケーブル接続部のそれぞれへの配電を、前記制御装置からの制御信号に基づいて制御するようセットアップされており、前記制御装置は、前記インターフェースセクションからデータを受信するようセットアップされ、前記引き込みケーブルから前記引き出しケーブルおよび前記ケーブル接続部のそれぞれへの配電を、外部制御信号に基づいて制御するようセットアップされており、前記制御信号は、あらかじめ記憶されているデータ、および、前記インターフェースセクション、クラウドサーバーおよび／または前記移動装置からの入力データなどの入力データ、に基づいて決定される
ことを特徴とする配電設備を提供する。
【０００５】
本明細書中に開示しているように、「移動装置（mobile device）」という用語は、移動可能かつ電力供給ネットワークにより電力供給可能な任意の種類の装置に関連する。そのような装置の例としては、電気自動車、セグウェイ、電気モーターサイクル等の電気車両が挙げられるが、さらに他の携帯可能な機械および携帯可能な照明セットもある。さらなる例として、電気で作動するエンジン予熱器やカーヒーターを備えた従来型の自動車もある。  
【０００６】
本明細書中に開示しているように、「既存の街灯柱（existing lamp post）」という用語は、任意の種類の既存の街灯柱に関連する。基本的に、典型的な現代の街灯柱は、地面に固定される柱（pole）からなり、頂部に電気で作動する照明手段が配置され、その照明手段を配電幹線と接続するケーブルを有する。そのような照明手段として好適なのは、ＬＥＤ（発光ダイオード）装置、または、より従来型の電球または蛍光管装置である。通常、ＬＥＤ装置は、実際のＬＥＤユニットに加え、無線（ワイヤレス）通信ユニットおよび制御ユニットを有する。したがって、多くのＬＥＤ装置は、無線手段を用いて遠隔制御が可能である。好ましくは、街灯柱は、街灯柱の電線ケーブルおよびヒューズへのアクセスのため外すことができる蓋またはカバーを有する。当然、そのような蓋やカバーのない街灯柱を用いることもできるが、その場合街灯柱に大きい穴をあける必要がある。  
【０００７】
「中枢部から取り外し可能に（in such a way that they can be removed from the central part）」という用語は、補助部が、中枢部の外面におけるレールの位置を調整し、部品の外面に配置された少なくとも一つの締結要素をゆるめてケーブル接続部を切り離すなどの少数のアクションで取り外すことができることを意味している。そのようなアクションの他の例としては、ＲＦＩＤ（radio frequency identification）タグおよび／またはブルートゥース（Bluetooth（登録商標））通信装置などの同定装置の提示、特定の電話番号へのＳＭＳ送信または電話の発信呼セットアップ、または、それらのアクションのうちのいくつかあるいはすべての組み合わせが挙げられる。このように、補助部を取り外したり取り替えたりすることが容易なので、配電設備のフレキシビリティが向上する。一方で、信頼性を最大化しメンテナンスコストを最小化するために、配電設備が堅牢で破壊行為に対して強いことも重要である。したがって、配電設備は、設備の全体またはその一部を開き、設備を操作して、設備がスタンバイモードまたは動作モードにあるとき外側からアクセス可能な補助部を取り外す手段を持たないことが望ましい。通常、設備は、たとえば設備の全体またはその一部を開き、設備を操作し、および／または補助部を取り外すために、設備の外面にアクセス可能な手段を露出させるためには、最初にＲＦＩＤタグおよび／またはブルートゥース通信装置のような同定装置を提示し、特定の電話番号へのＳＭＳ送信または電話の発信呼セットアップ、または、それらのアクションのうちのいくつかあるいはすべての組み合わせを行うことによって、操作される。  
【０００８】
本明細書中に開示しているように、「スイッチング手段（switching means）」という用語は、電力を引き込みケーブルからケーブル接続部または引き出しケーブル、またはそれらの両方同時に、分配を切り替えるための装置に関連する。また、スイッチング手段は、接続部と引き出しケーブルの両方への電力分配を細かく調整することもできる。スイッチング手段の分配動作は、外部制御信号の受信後に行われる。さらに、スイッチング手段は、配電設備の残りの部分にも配電する。このタイプの装置構成は、当業者であれば周知である。  
【０００９】
本明細書中に開示しているように、「ケーブル接続部（cable connection）」という用語は、スイッチング手段からコンタクトモジュールに電力を配分するための一組のケーブルに関連する。いくつかの実施形態において、ケーブル接続部は、スイッチング手段を経由して制御信号をコンタクトモジュールおよび制御装置の間に転送するためのさらなるケーブルを有していてもよい。そのような信号は、通常、移動装置に由来する。  
【００１０】
本明細書に開示しているように、「インターフェースセクション（interface section）」という用語は、ユーザーが配電設備にインストラクションを投入する手段（それは、典型的にはＲＦＩＤ読取手段またはブルートゥースインターフェースであるが、いくつかの実施形態においてはボタンおよびキーである）を有する、配電設備の一部分に関連する。いくつかの実施形態において、インターフェースセクションは、ボタンやキーを備えず、ＲＦＩＤ読取手段および／またはブルートゥースインターフェースのみを有する。前記インストラクションの典型的な例は、「ケーブル接続部への配電を開始せよ」および、接続部への配電を中断せよ、というものである。通常、ＲＦＩＤタグの最初の提示がケーブル接続部への配電開始のインストラクションとして解釈され、後続の第２の提示が配電終了のインストラクションとみなされるものとすることができる。いくつかの実施形態において、インターフェースセクションは、中枢部に配置させることができる。いくつかの実施形態において、配電設備が、さらに上部を有する場合に、インターフェースセクションは、その中に配置させてもよい。いくつかの実施形態において、ユーザーは、ケーブル接続部への配電の時間の長さのリクエストおよびケーブル接続部へ配電される電力量など、他のインストラクションおよびデータを投入することができる。いくつかの実施形態において、ユーザーは、インターフェースセクションで、ＰＩＮコードを入力することによって、本人確認を行ってもよい。他の実施形態において、ユーザーは、たとえば、クレジットカードを提示したり、特定の電話番号へモバイルフォンから発呼またはＳＭＳ送信を行ったり、ユーザーがブルートゥースインターフェースにより同定されるＲＦＩＤタグやｅ−ｗａｌｌｅｔで、またはそのようなアクションを組み合わせて、本人確認をすることができる。ユーザーがインターフェースセクション以外で自身を認証させる場合でも、いくつかの実施形態においては、ユーザーは、インターフェースセクションを利用した入力アクションにより配電を開始および／または終了する。インターフェースセクションは、中枢部に配置してもよく、上部などの補助部に配置してもよい。  
【００１１】
本明細書に開示しているように、「制御装置（controller）」という用語は、データを受信し、標準的なルーチンにしたがってデータを変換し、データを送出するためのマイクロコンピューターまたは類似の装置に関連する。通常、制御装置は、ＲＦＩＤリーダーおよび／またはブルートゥースインターフェースを有するものとすることができるインターフェースセクション、支払セクション、電力センサー、接続された移動装置、および、通信ユニットからデータを受信することができる。データは、所定のルールに従って処理され、処理されたデータは、通常、スイッチング手段、コンタクトモジュール、通信ユニット、視覚信号表示手段（存在する場合）、インターフェースセクション、接続された移動装置、支払セクション（存在する場合）のうちの少なくとも一部材に送出される。当業者であれば、好適な制御装置を選択可能であろう。  
【００１２】
本明細書に開示しているように、「引き込みケーブル（incoming cable）」という用語は、電力供給ネットワークに接続されているケーブルに関連する。配電設備が既存の街灯柱への後付けとして使用される場合、引き込みケーブルは、街灯柱のヒューズ装置に電力を導くケーブルである。配電設備を街灯柱に装着するとき、引き込みケーブルは、スイッチング手段の接続部の一つに接続される。  
【００１３】
本明細書に開示しているように、「引き出しケーブル（outgoing cable）」という用語は、光発生手段、典型的にはＬＥＤ（発光ダイオード）装置、蛍光管、または電球を、スイッチング手段に接続するケーブルに関連する。引き出しケーブルは、後付けされていない街灯柱のヒューズ装置を光発生手段と接続するケーブルに対応する。  
【００１４】
本明細書に開示しているように、「制御信号（control signals）」という用語は、一つの要素（第２の要素内で特定のアクションを開始させる要素）からの信号に関連する。当業者であれば、そのような信号については精通しており、所望の結果を得るために信号の受発信を行う諸要素をどのように選ぶべきかは知悉している。  
【００１５】
本明細書に開示しているように、「コンタクトモジュール（contact module）」という用語は、スイッチング手段からケーブル接続部を経由して電力を受ける装置に関連する。コンタクトモジュールは、そのとき、さらに移動装置に対する配電を行う。いくつかの実施形態において、コンタクトモジュールは、ユーザーが移動装置からのケーブルを接続することができプラグまたはソケットを有する。いくつかの実施形態においては、コンタクトモジュールは、移動装置からのデータを受信して制御装置にそのデータを転送するためのインターフェース有する。いくつかの実施形態において、コンタクトモジュールは、電力を分配する第１のケーブルと双方向にデータを転送する第２のケーブルとを有するケーブル装置を有する。ケーブル装置は、コンタクトモジュールの接続部に接続されている。もう一方の端部において、ケーブル装置は、移動装置に接続されるよう構成されているプラグまたはソケットを端部に備えている。  
【００１６】
ある好適な実施形態において、スイッチング手段は、少なくとも一つの電力センサーを有し、電力データを前記制御装置（１１２）に転送するようセットアップされている。「電力センサー（power sensor）」という用語は、電力に関するデータまたは電力に関するデータに変換することができるデータを、継続的にまたは定期的に送るセンサーに関する。当業者であれば、そのようなセンサーについてはよく精通している。  
【００１７】
ある実施形態において、前記中枢部は、さらに、支払セクションを有し、当該支払セクションは、顧客からの支払いを取得する手段を含み、前記支払セクションは、前記制御装置に、支払いに関連するデータを送るようセットアップされている  
【００１８】
本明細書に開示しているように、「支払セクション（payment section）」という用語は、支払いデータを受信するためのセクションに関連する。いくつかの実施形態において、このセクションは、クレジットカードリーダーを、任意選択的に一ないし複数の入力手段とともに、有してなる。ユーザーは、このリーダーに自身のクレジットカードを挿入し、任意選択的にｐｉｎコードを入力する。すると、支払セクションは、このデータを制御装置に転送する。  
【００１９】
いくつかの実施形態において、前記設備は、下部補助部をさらに有し、当該下部は、移動装置に配電するよう構成されたコンタクトモジュールを含み、前記コンタクトモジュールは、前記ケーブル接続部に接続されている。  
【００２０】
いくつかの実施形態において、前記下部は、前記コンタクトモジュールを覆う閉鎖可能な蓋を含み、当該蓋は、前記コンタクトモジュールを通じての配電が開始する前に自動的に開き、前記蓋は、配電が終了したときに閉じる。下部を破壊行為から保護するため、前記蓋をあけるための外部作動手段は存在しない。  
【００２１】
いくつかの実施形態において、前記配電は、前記コンタクトモジュール内の接続部に、さらには、ケーブルを経由して、移動装置に接続されるよう構成されたプラグ／ソケットに対してなされ、いくつかの実施形態において、前記移動装置および前記制御装置の間をデータが転送されることを可能にする前記プラグ／ソケット間の接続がある。本明細書において開示されているように、「プラグ（plug）」ないし「ソケット（socket）」という用語は、通常、移動装置に配電するために該移動装置に関連づけられている対応するプラグ／ソケットに接続されるよう構成されているプラグ／ソケットに関連する。
いくつかの実施形態において、プラグ／ソケットは、移動装置からの配電関連データを受信するよう構成されてもいる。そのような配電関連データの例としては、電力、電圧および／または電流の所望量、および、それらのパラメータが経時的にどのように変化されるべきかを示すデータが挙げられる。
【００２２】
いくつかの実施形態において、プラグ／ソケットは、該プラグ／ソケットを、移動装置の対応する受けプラグ／ソケットに固定するよう構成された固定装置を備えており、当該固定装置は、前記プラグ／ソケットに配電がなされるときに固定されるように、前記制御装置により制御される。
【００２３】
本明細書に開示しているように、「固定装置（anchoring device）」は、プラグが図らずもソケットから抜けてしまうことがないように、プラグがソケットに装入されたときにロックする装置である。固定装置は、通常、プラグがソケット内にロックされるときに対応する空所に合体するロックボルトの一種である。もっとも、固定装置は、回すと対応する空所に合体する突起部分を有するリングとして設計されてもよい。固定装置は、制御装置により制御される。通常、制御信号は、前記接続部と、前記コンタクトモジュールからの前記ケーブルとを用いて、固定部に送信される。
【００２４】
いくつかの実施形態において、設備は、前記制御装置と、クラウドまたはローカルマスター設備に配置されたサーバーとの間で、インストラクションを含むデータを無線伝送するよう構成された通信ユニットを有する上部を有し、前記インストラクションは前記引き込みケーブルから前記引き出しケーブルおよび前記ケーブル接続部の間の電力の分配に関するものである。
【００２５】
本明細書に開示しているように、「通信ユニット（communication unit）」という用語は、直接、またはマスター通信ユニットを介して、クラウド（インターネット）との間でデータ信号の送受信を行うよう構成された、送信機と受信機とが統合されたもの（「トランシーバー（transceiver）」）に関する。このコンテクストにおいて、特別なマスター通信ユニットが、マスター設備に配置されている。本明細書に開示しているように、「マスター設備（master appliance）」の用語は、個々の配電設備からの入力データおよびマスター設備の記憶手段（memory）内に記憶されている一組のルールに基づいて配電設備のグループを連動して動作するよう制御する設備に関連する。すでに言及したように、前記配電設備のグループは、クラウドサーバーによって、制御および／または連動されるものであってもよい。
【００２６】
いくつかの実施形態において、通信ユニットは、前記制御装置およびＬＥＤ装置の間で、インストラクションを含むデータを無線伝送するよう構成され、前記データは、電力消費および前記ＬＥＤ装置の状態に関連する（このＬＥＤ装置は、実際のＬＥＤユニットに加え、無線通信ユニットおよび制御ユニットを有する）。したがって、この実施形態において、制御装置は、ＬＥＤ装置を監視し制御するようセットアップされている。通常のＬＥＤ装置は、装置の状態を表すデータを転送するようセットアップされており、特定の装置の故障に関する情報が即時に送出可能である。ＬＥＤ装置の発光も、このようなやり方で制御することができる。
【００２７】
いくつかの実施形態において、制御装置は、通信ユニットからのインストラクションを受信し、前記引き込みケーブルからの電力が前記引き出しケーブルおよび前記ケーブル接続部の間で分配されるように、前記インストラクションに基づいて、前記スイッチング手段を制御するよう構成されている。
【００２８】
いくつかの実施形態において、通信ユニットは、配電設備から１０ｍ以内のエリアに、モバイルフォンサービスおよび／またはＷｉ−Ｆｉホットスポットを提供するフェムトセル基地局をさらに有する。本願におけるフェムトセル基地局は、配電設備の上部の中に収容することができるよう、小さな体積を有するものでなければならない。基地局の伝送された電力には制約がある。
【００２９】
いくつかの実施形態において、通信ユニットは、マスター設備を介してモバイルフォンサービスおよび／またはＷｉ−Ｆｉからすべての入力データおよび出力データを転送するようセットアップされている。  
【００３０】
いくつかの実施形態において、通信ユニットは、前記通信手段に隣接して配置、および／または、街灯柱の内部または外部に取り付け、がなされるよう構成されている別体のアンテナに、接続されている。  
【００３１】
いくつかの実施形態において、前記上部は、配電設備のインターフェースセクションを有し、該セクションは、ＲＦＩＤまたはブルートゥース読取手段などの同定手段を有する。前記上部内に配置できるような充分小さいサイズを有するものであれば任意のＲＦＩＤ（Radio Frequency Identification）またはブルートゥース読取手段が、配電設備に使用することができる。
【００３２】
いくつかの実施形態において、前記上部は、視覚信号を表示する手段を有する。この手段は、通常、一種の発光装置および／またはテキストメッセージを表示するスクリーンである。したがって、該手段は、通常、テキストによるメッセージおよび／または光による表示をディスプレイするようセットアップされている。これらの要件を満たし前記上部の外側に装着するのに適したサイズを有するものであれば、任意の発光装置および／またはスクリーンが使用可能である。いくつかの実施形態において、前記設備は、第１モード、第２モード、第３モードで動作させることができ、
ｉ）前記設備は、前記第１モードにおいては、外部作動手段をもたず、前記コンタクトモジュールは隠され、前記蓋は閉じられ、前記ケーブル接続部および前記コンタクトモジュールに電力は分配されない、
ｉｉ）前記設備は、前記第２モードにおいては、外部作動手段をもたず、前記蓋は開かれ、前記コンタクトモジュールは外部から利用可能であり、前記ケーブル接続部および前記コンタクトモジュールに電力が分配され、
ｉｉｉ）前記設備は、前記第３モードにおいては、前記スイッチング手段から電力を分配せず、サービスおよび／またはメンテナンス業務を実行する作動手段が露出している。
【００３３】
本明細書に開示しているように、「作動手段（actuating means）」という用語は、配電設備を制御する任意の手段に関する。そのような手段の典型的な例としては、ボタンや、電気レセプタクルや、電気プラグが挙げられる。
【００３４】
いくつかの実施形態において、前記動作モードは、ＲＦＩＤタグおよび／またはブルートゥース通信手段を前記インターフェースセクションに提示することによって、または、特定のモバイルフォンから特定の番号へ、発呼することによって、または、ＳＭＳを送ることによって、あるいは、それらのアクションを組み合わせることによって、切り替えられる。特定のモバイルフォンから特定の番号への発呼またはＳＭＳ送信により動作モードを切り替えるとき、その発呼またはＳＭＳは、配電設備の通信ユニットのフェムトセル基地局によって受信される。前記制御装置は、前記発呼またはＳＭＳの送信元のモバイルフォン番号が登録されたものかを確認するようセットアップされており、当該番号に関する情報が、該設備と関連づけられているマスター設備に送信される。その番号が登録されていれば、マスター設備は、動作モードを切り替えることができる配電設備に、インストラクションを送信するよう構成されている。
【００３５】
いくつかの実施形態において、サービスおよび／またはメンテナンス業務を実行する前記作動手段は、孔を有するスライド式アウターカバーの背後に隠され、前記スライド式アウターカバーが前記第１モードおよび前記第２モードにおいて前記作動手段を覆う位置にロックされ、前記作動手段が前記孔を通じてアクセス可能となる位置に前記スライド式アウターカバーをスライド移動させることができるように、前記スライド式アウターカバーが、前記スライド式アウターカバーの位置を制御する手段によって、制御される。通常、そのように隠される作動手段は、ボタンまたは電気レセプタクルとすることができる。
【図面の簡単な説明】
【００３６】
本発明は、ここに、同封されている以下の図面を参照して説明される。
【００３７】
【図１】本発明のいくつかの実施形態による配電設備であって、街路灯に設置されているものの側面図を開示する。
【図２】いくつかの実施形態による中枢部のアウターカバーの構造、そして、上部および下部がどのように中枢部に接合し得るかを示す。
【図３】道路沿いの街路灯に分散配置されているいくつかの配電設備を含むシステムであって、マスター設備および／またはクラウドサーバーにより制御されるシステムの概要を説明する。
【図４】配電設備のグループを、任意選択的にクラウドサーバーからの入力に基づいて、制御するよう構成されたマスター設備を模式的に開示する。
【図５】本願の一実施形態による配電設備のスイッチング手段の概要を簡単に説明する。
【図６】いくつかの実施形態により、配電設備がどのようにサービスおよびメンテナンス作業のためにアクセス可能とされ得るかの概略を説明する。
【発明を実施するための形態】
【００３８】
図１は、本発明による配電設備１００を開示する。この設備は、電気車両の充電または他の移動電力消費装置への一時的配電に適している。図１に示す実施形態において、充電設備は、街灯柱１３５に設置されている。充電設備は、通常、３つの部分、すなわち、中枢部１０２、下部１０４および上部１０６からなる。
【００３９】
図２は、本発明の一実施形態にしたがって、中枢部１０２のカバー２０２がどのように構成されているかを示している。また、図２は、下部１０４，２１４および上部１０６，２１２をどのように中枢部に接合するかの例を示すものでもある。この実施形態にしたがって、上から見た図である図２ａに示すように、中枢部のカバー２０２は、Ｕ形状部材２０３および背部２０６により構成されている。背部２０６をＵ形状部材２０３の２つの縁部に接合する手段２０４がある。通常、これらの手段２０４は、背部をスライドさせて挿入する溝である。いくつかの実施形態において、締結手段２０７を用いて背部２０６を溝２０４内に固定するために、溝２０４の底およびＵ形状部材２０３の外面の間に孔２０９がある。さらに、上部１０６，２１２および下部１０４，２１４をそれぞれ固定するために、Ｕ形状部材２０３の上縁部内に空所２１１が、そして、図示せぬ下縁部上に対応する空所がそれぞれある。Ｕ形状部材２０３のサポート側サイド１４４の外面のさらなる実施形態は、図６において後述する。
【００４０】
図２ｂは、カバーの側面図であり、下部２１４および上部２１２が締結手段２０８，２１０によって、どのようにＵ形状部材２０３に接合されているかの概略を簡単に説明するものである。図２ｃは、上部２１２の下から見た図であり、それがＵ形状部材２０３の上縁部にどのように接続されているかを示している。締結手段２０８を受けるための空所２１６がある。また、中枢部１０２からのケーブル接続部を受けるための大開口２１８もある。同様に、図２ｄは、下部１０４，２１４の上から見た図であり、それがＵ形状部材２０３の下縁部にどのように接続されているかを示している。締結手段２１０を受けるための空所２２０がある。また、中枢部１０２からのケーブル接続部を受けるための大開口２２２もある。したがって、この図示されている実施形態において、下部１０４，２１４および上部１０６，２１２は、中枢部１０２から取り外すことができる。このことは、フレキシビリティを提供することになるので利点となる。既存の上部および／または下部を新しい部品と交換するだけで簡単に新しい機能をインストールすることができるのである。
【００４１】
図２ｅは、背部２０６を開示する。背部は、通常、締結手段を受けるための開口２２６を有しており、ケーブル入口２２８，１３８も有している。開口２２６は、配電設備１００を既存の街灯柱に締結するときに用いられることが意図されている。ケーブル入口は、配電幹線からの引き込み給電ケーブルおよび図示せぬ引き出しケーブルを受けることが意図されている。さらに、背部は、締結手段２０７を受けるための空所２２４を有する。
【００４２】
再び、図１に示す実施形態を参照すると、中枢部は、フロント側サイド１３６と、互いに反対向きの２つのサポート側サイド１４４と、リヤ側サイド１４２を有する。フロント側サイド１３６と両サポート側サイド１４４は、Ｕ形状部材２０３の一部である。リヤ側サイド１４２は、大部分が背部２０６により構成されている。図示されているこの実施形態において、リヤ側サイド１４２は、街灯柱１３５に装着されるよう構成されている。リヤ側サイドは、さらに、ケーブル入口１３８と、街灯柱１３５に中枢部ユニットを接合するための締結手段を受けるための少なくとも一つの他の開口１４０を有する。中枢部１０２は、支払セクション１０８を有するものであってもよく、当該中枢部１０２の外面１３６上に配置したインターフェースセクション１１０を有していてもよい。支払セクション１０８は、充電設備による電気車両への配電の支払を取得する手段を有する。通常、そのような手段は、クレジットカードリーダーおよびそのリーダーに関連するインターフェース（図１においては図示省略している）を含むものとすることができる。インターフェースセクション１１０は、通常、電気車両の充電を開始および終了する手段（図１においては図示を省略している）、または、一実施形態において、電気車両などの移動装置への電力接続部の固定するコントロールを有する。さらに、中枢部１０２は、制御装置１１２およびスイッチング手段１１４を有する。支払セクション１０８およびインターフェースセクション１１０が中枢部に存在する場合、それらはともに制御装置１１２に接続されている。中枢部が支払セクション１０８および／またはインターフェースセクション１１０を有する場合、制御装置は、該支払セクション１０８および／またはインターフェースセクション１１０から、支払またはインボイスのデータを示すデータを受信する。いくつかの実施形態において、制御装置は、インターフェースセクション１１０から移動装置への望ましい配電に関するデータを受信してもよい。このデータに応答して、制御装置は、通常、スイッチング手段１１４に、下部１０４に配電されることを示す信号を送信する。スイッチング手段１１４は、制御装置１１２により制御され、さらに、街灯柱内の（配電幹線に接続されている）引き込み給電ケーブル１１６に接続されている。制御装置１１２の信号に基づいて、スイッチング手段１１４は、下部１０４に繋がるケーブル１２０に給電するための利用可能な電力量と、通常は照明を目的としているケーブル１１８を通じて配電される電力量（図１において、照明手段は図示を省略している）とを割り当てる。引き込みケーブル１１６およびケーブル１１８はともに、ケーブル入口１３８を通っている。電力の割り当ては、たとえば、照明の必要値や電力リミットや任意選択的に設けられる電力センサー手段（図示省略）からの入力データに基づいて、制御装置１１２により制御される。制御装置１１２は、通常、マスター設備（３１８，４００）内のマスタープロセッサー４０２（図１においては図示省略している）により制御される。一実施形態において、制御装置１１２は、配電幹線を送信される信号を介してプロセッサーに接続されている。他の実施形態において、制御装置１１２は、上部１０６内の無線通信ユニット１２４を介してプロセッサーに接続される。
【００４３】
下部１０４は、電気車両、カーヒーター、エンジン予熱器などの移動装置に配電するよう構成された配電設備１００の一部である。すでに述べたように、電力は、ケーブル１２０を介して、スイッチング手段１１４から、下部１０４へと伝送される。より具体的には、ケーブル１２０がコンタクトモジュール１３０に配電し、そこから、移動装置に配電される。図１に示した実施形態においては、下部１０４は、閉鎖可能な蓋１２８も有しており、コンタクトモジュール１３０はその下に配置されている。図示されているこの実施形態において、コンタクトモジュールは、接続部１３１を有し、ここで、ケーブル接続部１２０からの電力が、移動装置に接続されるよう構成されているプラグ／ソケット１３２に伝送される。一実施形態において、電力は、接続部１３１から、さらに任意選択的に設けられる外部ケーブル１３３を介して前記プラグ／ソケットに導かれる。好ましくは、前記プラグ／ソケット１３２は、移動装置のプラグ／ソケットの対応する部分にグリップされるよう構成された固定装置１３４を有する。固定装置１３４は、制御装置１１２により制御される。通常、ユーザーは、インターフェースセクション１１０，１２２上でコマンドを入力することで、固定装置１３４を用いた固定を開始および終了することができる。この実施形態は、給電の偶発的な中断のリスクが最小化される点で有利である。いくつかの実施形態において、プラグ／ソケット１３２は、当該移動装置に対する望ましい電力条件に関するデータを受信するためのコンタクトを有するものであってもよい。そのような実施形態において、このデータは、たとえば、すべてのケーブル１３３およびケーブル接続部１２０の間、によって、制御装置１１２に転送される。前述のとおり、下部１０４は、たとえば、多重プラグ／ソケット規格（multiple plug/socket standards）が採用される場合、容易に取り外しが可能である。
【００４４】
図１に示した実施形態の上部１０６は、通信ユニット１２４を有し、任意選択的に、視覚信号表示手段１２６も有することがある。いくつかの実施形態において、インターフェースセクション１２２は、中枢部１０２にではなく、上部１０６に配置される。設備１００がインターフェースセクションを中枢部１０２に配置しているか上部１０６に配置しているかにかかわらず、インターフェースセクションは、ＲＦＩＤおよび／またはブルートゥース読取手段などの同定手段を有するものとすることができる。ＲＦＩＤおよび／またはブルートゥース読取手段は、ユーザーが、ＲＦＩＤタグまたはｅ−ｗａｌｌｅｔ（通常、ブルートゥース機能を有するモバイルフォン）を読取手段１２２に近づけることによって本人認証することを可能にする。このような本人確認（同定）は、いくつかの理由で優れている。一実施形態において、ユーザーは、支払セクション１０８のカードリーダーにクレジットカードを挿入する必要がない。いくつかの実施形態において、そのような支払セクションは存在しない。この実施形態において、配電電力に対してユーザーにインボイスを送るのには、ＲＦＩＤタグ内の情報で充分である。一実施形態において、ユーザーは、特定の配電設備を予約し、自身のＲＦＩＤタグまたはクレジットカードを同定手段として示すことができる。この実施形態にしたがって、特定の配電設備が予約されている場合には、設備は、ロックされ、プラグ／ソケット１３２から電力を得ることは不可能である。好ましい実施形態において、視覚信号が、視覚信号表示手段１２６によって表示される。通常、そのような信号は、ランプの点滅および／または画面表示テキストメッセージなどである。好ましくは、プラグ／ソケットは蓋１２８の背後に隠れている。ユーザーは、自身のＲＦＩＤタグ、ブルートゥースを含む装置（モバイルフォン）またはクレジットカードを設備１００の関連する部分に提示することによって、あるいは、特定の電話番号に発呼するかＳＭＳを送信することによって、あるいはこれらのアクションの２つ以上をくみあわせて、設備のロックを解除する。
【００４５】
上部１０６の通信ユニット１２４は、無線通信装置であり、情報およびコマンドを受信および送信するためのトランシーバー（receiver and transmitter）を有する。一実施形態において、通信ユニットは、もっぱら、マスター設備３１８，４００内の単一マスター通信ユニット４０８とのみ通信するようセットアップされており、マスター設備３１８，４００はクラウドサーバーとの通信用にセットアップされている。他の実施形態において、通信ユニット１２４は、そのようなサーバー（クラウドサーバー）と直接、インターネットと接続されたモバイルフォンネットワークのような無線ネットワークを経由して、マスター設備を通らずに、通信するようセットアップされている。一実施形態において、通信ユニット１２４は、ＬＥＤ装置との無線通信用として構成されてもいる。通信ユニット１２４により送受信することができる情報およびコマンドの例としては、インボイス情報、ユーザー情報、配電幹線網における電力消費に関する情報、街灯柱１３５の外部光発生手段における光発生に関するコマンド、そしておそらくは、そのような光発生手段として使用されるＬＥＤ装置の状態（故障または正常機能中）が挙げられる。情報およびコマンドは、制御装置に転送され、そこでは、スイッチング手段１１４を制御する際にこの情報を使用するようセットアップされている。一実施形態において、通信ユニットは、さらに、配電設備１００から１０ｍ以内のエリアに、モバイルフォンサービスおよび／またはＷｉ−Ｆｉホットスポットを提供する小型フェムトセル基地局を有する。この実施形態において、小型フェムトセル基地局で送受信されるデータトラフィックは、マスター設備３１８，４００のマスター通信ユニット４０８を経由してガイドされる。一実施形態において、通信ユニット１２４は、離れたアンテナ１２７ａ，１２７ｂに接続されていてもよい。一実施形態において、アンテナ１２７ａは、上部１０６内で、通信ユニット１２４に隣接して配置される。この実施形態では、アンテナは、通常、モバイルフォンで使用されるタイプである。一実施形態において、アンテナは、上部１０６のアウターカバーを貫通し突出している。他の実施形態において、アンテナは、全く突出せず、上部１０６のアウターカバー内に完全に収まっている。これらの実施形態は、街灯柱が金属製であって特定の配電設備１００および該配電設備制御するマスター設備３１８，４００の間の距離が小さい場合に特に有用である。他の実施形態において、アンテナ１２７ｂは、前記通信ユニット１２４から所定距離を置いて設置されるよう構成されている。ケーブル１２９がアンテナ１２７ｂおよび通信ユニット１２４を接続している。一実施形態において、アンテナは、街灯柱１３５の外面に設置されるよう構成することができる。図示を省略したこの実施形態では、ケーブルが上部１０６のアウターカバーを貫通して配置されている。他の実施形態において、アンテナ１２７ｂは、街灯柱１３５内部の空所に設置されるよう構成される。この実施形態に適した街灯柱は、通常、アンテナ１２７ｂの良好な状態を確実に保つためファイバーグラスなどの高分子材料でできている。この実施形態において、アンテナ１２７ｂを通信ユニット１２４に接続するケーブル１２９は、開口２１８を通って中枢部１０２内に入り、ケーブル入口１３８から出て街灯柱１３５内に入るよう配置されている。通信ユニットから所定距離をおいて設置されるよう構成されたアンテナを有する実施形態は、配電設備１００が、マスター設備３１８，４００から、より離れた位置に設置される場合に有利である。
【００４６】
図３は、マスター設備３１８により連動して動作するよう制御される複数の配電設備３０４，３０６，３０８を有するシステム３００の全体像を開示するものである。各設備は、街灯柱に設置されている。各街灯柱は、配電幹線からの給電ケーブル３０２に並列接続されている。図３は、３つの接続ポイント３３６，３３８，３４０が開示されており、そこから引き込み給電ケーブル３２０，３２２，３２４が配電設備３０４，３０６，３０８に配電する。配電設備に到達した電力の一部は、ケーブル３２８，３３０，３３４を通って照明手段３０８，３１２，３１６に分配されるようにしてもよい。電力の残りの部分は、移動装置３０５，３１０，３１４のための電力が欲しい顧客にケーブル３２６，３２９，３３２を介して分配される。
【００４７】
この配電は、モバイルフォンネットワークを経由して直接、あるいは、モバイルフォンネットワークおよびインターネット３４２に接続されるマスター設備３１８を介して、インターネット３４２に接続されたサーバーにより制御される。配電制御は、複数の考慮すべき要素およびルールに基づいている。第１に、給電ケーブル３０２により分配される可能性のある電力について最大値が存在することである。この最大値は、配電幹線網内の物理的な制約に依存している。第２に、電力は、一定比率が、光を（特に夜間の暗い時間帯に）発生させることに使用されなければならないこと。第３に、移動装置が異なれば電力需要も大きく異なる可能性があること。第４に、システムの中には、高い優先ランクが付与されていて、利用可能な電力に対する割り当てが大きいクライアントがいるかもしれないことである。ルールに基づく経時的価格変動も適用可能である。一実施形態において、マスター設備３１８は、上述のルールのうちの少なくとも一部と、配電設備３０４，３０６，３０８により送信された情報とに基づいて配電を制御する。いくつかの実施形態において、配電設備３０４，３０６，３０８とインターネット３４２に接続されたサーバーとの間の（任意選択的に、マスター設備３１８を介して行われる）通信は、ＧＳＭ（登録商標）、３Ｇまたは４Ｇなどのモバイルフォン技術を利用した信号伝送により行われる。いくつかの実施形態において、配電設備３０４，３０６，３０８とインターネット３４２に接続されたマスター設備３１８との間の通信は、ＷｉＦｉ技術を利用して行われる。マスター設備３１８がある場合、マスター設備３１８は、さらに、ＧＳＭ（登録商標）、３Ｇまたは４Ｇなどのモバイルフォン技術を利用してインターネット３４２と接続されている。明らかに、配電設備が基地局と送受信するデータトラフィックは、マスター設備を経由してインターネット３４２へ／から送信されるのでもよく、インターネット３４２へ／から直接、送信されるのでもよい。もっとも、インターネット接続は、他の目的でも利用される。マスター設備の制御システムは、インターネット３４２からデータをダウンロードすることによってアップデートすることができる。クライアントの本人確認は、クレジットカード、ブルートゥースを含む装置またはＲＦＩＤタグなどのクライアント同定データを、同じくインターネットに接続されている外部ユニットに送信し、その外部ユニットからさらなるインストラクションを受信することによって行うことができる。請求書の発行も、クライアントを特定するデータおよび当該クライアントに配電された電気エネルギー量に関するデータを、同じくインターネットに接続されている外部ユニットに転送し、集中インボイス発行処理に回すことによって、行うことができる。いくつかの実施形態において、システム３００に登録されたＳＩＭカードを有するモバイルフォンから特定の電話番号に発呼するかＳＭＳを送信するかすることで、グループの特定の配電設備３０４，３０６，３０８にコマンドを送信することもできる。通常、システム３００は、最初のそのような発呼またはＳＭＳを誘起コマンドと解釈し、続く第２のそのような発呼またはＳＭＳを終了コマンドと解釈するようセットアップされている。いくつかの実施形態において、発呼／ＳＭＳとＲＦＩＤタグの提示の組み合わせが、そのようなコマンドとみなされる。システムは、ＳＩＭカードを、定期的に配電をリクエストするクライアントに関連するカードとして登録することができる。代替的に、システムは、メンテナンスおよびサービスのスタッフに関連するものとしてＳＩＭカードを登録することができる。この後者の場合、誘起コマンドによって、該当配電設備がメンテナンスおよびサービス業務のために利用可能とされる。
【００４８】
図４に、マスター設備４００の概略構成を示す。いくつかの実施形態において、マスター設備４００は、配電設備のグループを制御するために使用することができる。マスター設備は、プロセッサー４０２、記憶手段４０４、電力供給ネットワーク４０６への接続部、およびマスター通信ユニット４０８から構成されている。マスター通信ユニットは、その設備のグループの中の個々の配電設備１００とデータの送受信を行うよう構成されている。また、マスター通信ユニットは、当該配電設備１００のグループとともに、（存在する場合）マスター設備を制御するクラウドサーバーとのインターネット経由での接続を確立するため、ＧＳＭ（登録商標）、３Ｇまたは４Ｇなどのモバイル電気通信ネットワークに、マスター設備４００を接続するようにも構成されている。記憶手段４０４は、配電設備１００のグループを制御するためのルールを記憶するようセットアップしておくことができる。プロセッサー４０２は、マスター通信ユニット４０８から、前記グループの特定の配電設備に由来するデータを受信し、いくつかの実施形態においては、前記制御主体であるクラウドサーバーにそのデータを転送するようセットアップされている。そして、プロセッサーは、任意選択的に設けられた記憶手段４０４に記憶されたルールからの入力、そしていくつかの実施形態においては、インターネットに接続された前記制御主体としてのクラウドサーバーからの入力を使用して、前記データを処理するようセットアップされている。続いて、プロセッサー４０２は、前記グループの前記特定の配電設備１００にインストラクションデータを送信するようセットアップされている。
【００４９】
図３に示されているように、配電設備のグループは、インターネットおよびモバイルフォンネットワークを介してサーバーと配電設備の通信ユニットとを直接つなぐ通信を利用して、クラウドサーバーによって直接制御されるものとすることもできる。特定の配電設備からの情報は、前記クラウドサーバーに転送され、その情報と前記サーバーに記憶されているルールに基づいて、前記配電設備に、制御信号が送り返される。
【００５０】
図５に、スイッチング手段１１４，５００の概略を開示する。スイッチング手段５００は、いくつかの異なる接続手段５０２，５０４，５０６，５０８と、スイッチ５１０と、いくつかの電力センサー５１２，５１４，５１６とを有する。接続手段５０２は、制御装置１１２からのケーブルに接続されるよう構成されている。制御装置１１２との間で送受信される信号は、接続手段５０２から転送されて、スイッチ５１０および少なくとも一つの電力センサー５１２，５１４，５１６とやり取りされる。接続手段５０４は、引き込みケーブル１１６に接続されるよう構成されている。接続手段５０６は、引き出しケーブル１１８に接続されるよう構成されている。接続手段５０８は、ケーブル接続部１２０に接続されるよう構成されている。各接続手段５０４，５０６，５０８は、スイッチ５１０に接続されている。各接続手段およびスイッチの間のケーブル沿いに配置された電力センサー５１２，５１４，５１６があってもよい。
【００５１】
図６に、いくつかの実施形態にしたがって、配電設備１００が、サービスおよびメンテナンスのためにどのようにアクセス可能とされることができるか、概略を説明している。配電設備の図６に示した実施形態１００は、破壊行為から保護するため、外部作動手段をもたない。したがって、図６は、中枢部１０２と下部１０４と上部１０６とを備え、街灯柱１３５に設置された配電設備１００のサポート側サイド１４４を示している。位置規制ロック手段６０４により図示した位置にロックすることができるスライド式アウターカバー６０６がある。そのような手段６０４として好適なのは、電気的に制御することが可能なロック手段である。当業者であれば、そのような手段として好適なものをどのように選択するかは知っている。位置規制ロック手段６０４がロック解除されると、タブ６０２を引っ張ることによって、スライド式アウターカバー６０６を、符号「Ａ」で示された方向に、隠れていた作動手段６１０（ボタンまたはレセプタクルなど）が孔６０８を通じてアクセス可能になるまで移動させることができる。このアクセス可能な状態において、メンテナンス作業を行うことができる。設備１００は、カバー６０６を符号「Ｂ」で示された方向に押すことによって閉じることができる。ロック手段６０４を開くために、図３に概要を示したようなシステム３００によってサービスおよびメンテナンス作業のために登録されたＳＩＭカードを有するモバイルフォンから特定の電話番号に発呼するかＳＭＳを送信するかすることによって、その特定の配電設備１００にコマンドを送信することができる。通常、システム３００は、最初のそのような発呼またはＳＭＳを誘起コマンドとして、その後の２番目のそのような発呼またはＳＭＳを終了コマンドとして解釈するようセットアップされている。いくつかの実施形態において、発呼／ＳＭＳおよびＲＦＩＤタグの提示の組み合わせがそのようなコマンドとみなされる。
【００５２】
詳細な説明において開示された諸実施形態は、好ましい実施形態の例に過ぎず、本発明の範囲を限定することを意図するものではない。発明の範囲は、請求の範囲によってのみ定まるものである。
【図１】
2016500245.tif 000003
【図２ａ】
2016500245.tif 000004
【図２ｂ】
2016500245.tif 000005
【図２ｃ】
2016500245.tif 000006
【図２ｄ】
2016500245.tif 000007
【図２ｅ】
2016500245.tif 000008
【図３】
2016500245.tif 000009
【図４】
2016500245.tif 000010
【図５】
2016500245.tif 000011
【図６】
2016500245.tif 000012
【国際調査報告】
2016500245.tif 000013
2016500245.tif 000014
2016500245.tif 000015
2016500245.tif 000016